(57)【要約】【課題】現在６．６ｋＶ高圧受電設備で使われている方向性地絡継電器（ＤＧＲ）は、配電系統に存在する零相残留電圧の影響を受けて、現場試験時の動作電圧に誤差を生じ試験結果がＤＧＲの性能保証とならない場合がしばしば発生している。この問題をＤＧＲ設置現場で解決する手段がこれまでに実現されていない。【解決手段】現場試験時にＤＧＲに進入する零相残留電圧の影響を排除するには、ＤＧＲの零相入力端子において進入して来た零相残留電圧を消去することが必要となる。本発明はこの零相残留電圧を、逆位相の電圧を加えることにより消去するための消去電圧発生装置である。この消去装置を使用することによりＤＧＲの現場試験は零相残留電圧の影響を受けずに行えるので、ＤＧＲと区分開閉器（ＺＰＤ、ＺＣＴ内蔵）の組み合わせの性能を検証できる試験となる。【選択図】なし【特許請求の範囲】
【請求項１】
６．６ｋＶ高圧受電設備の方向性地絡継電器（ＤＧＲ）を現場試験する時に、正常試験の妨げとなる零相残留電圧を消去して実施する現場試験方法。
【請求項２】
６．６ｋＶ高圧受電設備の方向性地絡継電器（ＤＧＲ）を現場試験する時に、零相残留電圧をＤＧＲ端子で消去する消去装置Ｄ１。
【請求項３】
請求項２の消去装置Ｄ１を携行可能で小型軽量に作成し、消去信号を消去装置Ｄ１の出  力端子Ｔ〜Ｎから２芯コードによりＤＧＲの零相電圧信号入力端子Ｙ１〜Ｙ２に、ある  いはＤＧＲ試験用補助ボードＢ１のＹ〜Ｎ端子に、着脱可能にクリップ接続して零相残  留電圧を消去する消去方法。
【発明の詳細な説明】
【技術分野】
【０００１】
本発明は６．６ｋＶ高圧受電設備の地絡保護装置の試験に関するものである。
【背景技術】
【０００２】
現在６．６ｋＶ自家用高圧受電設備で使われている方向性地絡継電器（ＤＧＲ）は、６．６ｋＶの配電系統で地絡事故が発生したときに生じる零相電圧と地絡電流を検出し、双方の位相関係により自家用構内事故を判別し区分開閉器を開放して構内高圧電気設備の保護と、電力会社配電線への事故の波及を防止している。
【０００３】
但しこのＤＧＲは、運用状態において配電系統に存在する零相残留電圧の影響を受け、  定期点検などの現場試験時に最小動作電圧の項目において正常な試験結果を得られず、  フィールドにおけるＤＧＲの性能検証が信頼できない結果となっている。
【０００４】
【特許文献１】公開特許広報（Ａ）  平２−９６６６８
【発明の開示】
【発明が解決しようとする課題】
【０００５】
特許文献１の発明はＤＧＲに対する零相残留電圧の影響を排除するために、一定の単位  時間内の零相残留電圧波形を記憶し次の単位時間の零相残留電圧波形から、記憶した波  形データーを減算処理を行う方法である。この波形記憶と減算処理のサイクルを繰り返  すことにより、平常時の零相残留電圧の影響は除去できる。また減算処理後の値が設定  値以上であれば事故時の零相電圧と判定でき、制御的な手段により地絡保護処理が行わ  れる。
【０００６】
しかし特許文献１の発明は、ＤＧＲ製作時点から製品の中に適用されなければ意味が無  く、現在製作使用されている６．６ｋＶ自家用高圧受電設備のＤＧＲには全く使われて  おらず、現時点でこの発明を取り入れたＤＧＲ製作の計画も公表されていない。
【０００７】
このように零相残留電圧を除去した高圧地絡保護装置製作は実現されておらず、また現  在使用中の高圧地絡保護装置に対する零相残留電圧の影響排除対策もなされていない。
このためＤＧＲの現場試験結果は今現在でも零相残留電圧の影響を受けて、性能保証の  信頼性に欠ける結果となっている。
【課題を解決するための手段】
【０００８】
この運用状態で試験時に配電線側から入ってくる零相残留電圧の影響を排除するには、  試験するそれぞれのＤＧＲの零相電圧入力端子Ｙ１〜Ｙ２において、零相残留電圧を個  別に消去する必要がある。
【発明の効果】
【０００９】
考案の消去装置はＤＧＲの零相入力端子に進入する配電線からの零相残留電圧と同レベ  ルの電圧を発生させることができ、位相と大きさの両方を可変できる。
【００１０】
この消去装置の電圧出力を当該ＤＧＲのＹ１〜Ｙ２端子に印加し、零相残留電圧と同値  で逆位相となるように調整すれば零相残留電圧は消去できる。
【００１１】
この消去装置で零相残留電圧を消去した状態でＤＧＲの現場試験を実施すれば、最小動  作電圧の試験値はＤＧＲの性能を正常に検証できる結果となる。
【発明を実施するための最良の形態】
【００１２】
以下に本発明の実施の形態を図１〜図４に基づいて説明する。
【００１３】
図１は本発明の零相残留電圧消去装置Ｄ１の全体回路図を示す。
【００１４】
図において装置電源はＡＣ１００Ｖを使用し内部で基盤電子回路用に直流−６〜＋６Ｖ  に変換している。
【００１５】
基盤部で装置交流電源に同期した６０ＨＺの出力電圧（電圧０〜２Ｖ、位相＋１８０°  〜−１８０°可変）を発生させＴ〜Ｎ端子から取り出すことができる。
【００１６】
装置パネル面に位相調整用の可変抵抗器ＶＲ１（１０ｋΩ）と電圧調整用の可変抵抗器  ＶＲ２（１００ｋΩ）、ＶＲ３（２ＭΩ）、ＶＲ４（１ＭΩ）および出力抵抗切り換え  ＳＷを取り付けている。
【００１７】
図２に零相残留電圧消去装置の基盤動作ブロック図を示す。
【００１８】
図２の動作を説明する。装置商用電源（ＡＣ１００Ｖ）から矩形波発生回路（フォトカ  プラ使用）により６０Ｈｚ矩形波を発生させる。この６０Ｈｚ矩形波信号を次段の６０  Ｈｚトリガーパルス発生回路（マルチバイブレーター使用）に入力し、６０Ｈｚのパル  スを得る。この６０Ｈｚトリガーパルスは次の鋸歯状波発生回路（トランジスター、コ  ンデンサ使用、オペアンプで整形）をトリガーし６０Ｈｚの鋸歯状波が生成される。生  成された鋸歯状波を位相調整回路（コンパレーター使用）に送り、外部の位相調整用可  変抵抗器ＶＲ１によって±１８０度位相調整可能な６０Ｈｚ矩形波が作られる。この６  ０Ｈｚ矩形波を最終段のローパスフィルターで正弦波に整形して、基盤外部の電圧調整  回路に出力する。
【００１９】
図３は６．６ｋＶ高圧受電設備のＤＧＲ試験回路接続図を示す。
【００２０】
図３においてＤＧＲ通常試験はＤＧＲ試験器Ｔ１により試験電流と試験電圧をＤＧＲの  Ｋｔ〜ＬｔおよびＴ〜Ｅ端子に印加することにより実施できる。
【００２１】
図４はＤＧＲ試験用補助ボードＢ１接続図を示す。
【００２２】
ＤＧＲ試験用補助ボードＢ１は、零相残留電圧の観測と消去装置による消去および、消  去効果のモニターリングのために使用する。零相残留電圧の実態を定数的に正確に把握  するために、ブラウン管オシロスコープ（ＯＣＳ）とデジタルボルトメーター（ＤＶＭ  ）を補助ボード端子（Ｌ１〜Ｌ２）、（Ｙ１〜Ｙ２）か、零相残留電圧を増幅するため  に増幅器を使用する場合は測定端子（Ｖ〜Ｅ）に接続して観測する。
【００２３】
ＤＧＲ現場試験時に、通常試験で最小動作電圧値の整定値からの誤差が大きい場合およ  び、ＤＧＲ試験器Ｔ１の電源極性を反転したときの試験結果が極性正常時の試験結果と  大きく異なる場合は、零相残留電圧の影響を受けていると考えられる。このときはＯＣ  ＳあるいはＤＶＭで零相残留電圧を測定できる。
【００２４】
本発明の消去装置Ｄ１は携行可能なように小型軽量に作成し、電圧出力は２芯コードに  より試験用補助ボードＢ１のＹ〜Ｎ端子にクリップで接続する。補助ボードＢ１を使用  しない場合はＤＧＲのＹ１〜Ｙ２端子に直接クリップ接続する。
【００２５】
ＤＧＲ試験器Ｔ１の電源は「切り」とし、消去装置の電源を「入り」にしてＯＣＳ或い  はＤＶＭで零相残留電圧の波形や測定値を観測しながら、消去装置Ｄ１の位相調整用可  変抵抗器ＶＲ１と電圧調整用可変抵抗器ＶＲ２、ＶＲ３、ＶＲ４を調整して、消去装置  Ｄ１の消去効果により零相残留電圧が最小になる点を探す。
【００２６】
ＤＧＲのＹ１〜Ｙ２端子内部インピーダンスはＤＧＲメーカーによって異なるため、消  去装置Ｄ１を接続することによるＤＧＲ動作特性への影響防止を考慮し、消去装置Ｄ１  出力インピーダンスをＤＧＲメーカーに合わせて「出力抵抗切り換えＳＷ」で切り換え  て使用する。
【００２７】
本消去装置Ｄ１により零相残留電圧を消去した後、消去状態においてＯＣＳとＤＶＭの  測定レンジを試験電圧レベルに合わせる。ＤＧＲ試験器Ｔ１の電源を「入り」にし、Ｄ  ＧＲの通常試験と試験電源反転時の試験を行う。
【００２８】
零相残留電圧を消去した状態での試験であるため、試験結果はＤＧＲ単体及び区分開閉  器ＰＡＳ（ＺＰＤ、ＺＣＴ内蔵）との組み合わせでの性能を検証できるものとなる。
【実施例】
【００２９】
図５は図２基盤回路動作ブロック図の実施基盤回路図を示す。
【産業上の利用可能性】
【００３０】
ＤＧＲを設置している６．６ｋＶ高圧受電設備の施設数は極めて多く、定期点検時の現  場試験の頻度もそれに従い年間相当数になる。６．６ｋＶ配電系統で発生する零相残留  電圧は、配電系統の特性上完全に零にすることはできない。そのため零相残留電圧の影  響によるＤＧＲの現場試験結果不備は常時発生する。
【００３１】
更に無停電定期点検（停電せずに行う現場試験）の要望が増していることから、フィー  ルドにおいて零相残留電圧が存在する状態での現場試験が避けられない状況にある。
【００３２】
以上のことからＤＧＲ本体のＹ１〜Ｙ２端子で、配電系統から進入して来た零相残留電  圧を測定しそれを消去することにより、フィールドにおける零相残留電圧の影響を排除  したＤＧＲ地絡保護システムの性能検証が可能となる。
【００３３】
また発生している零相残留電圧の実態を把握できることにより、事故時のＤＧＲ地絡保  護システム応動の適否がチェックできる。
【００３４】
本発明で達成できるこれらの効果は６．６ｋＶ高圧受電設備の設置・維持・運用に関わ  る業界で、特に直接的にＤＧＲ地絡保護システムの品質保証義務があるメーカーと、運  用状態で現場試験業務に携わる電気保安管理業界にとっては極めて大きな意義を持つと  考えられる。
【図面の簡単な説明】
【００３５】
【図１】零相残留電圧消去装置Ｄ１全体回路図
【図２】基盤回路動作ブロック図
【図３】ＤＧＲ試験回路接続図
【図４】ＤＧＲ試験用補助ボードＢ１接続図
【図５】実施基盤回路図
【符号の説明】
【００３６】
ＤＧＲ        方向性地絡継電器
Ｄ１          零相残留電圧消去装置
Ｔ、Ｎ        零相残留電圧消去装置の消去信号出力端子
Ｙ１、Ｙ２    ＤＧＲの零相電圧信号入力端子
Ｂ１          ＤＧＲ試験用補助ボード
Ｙ、Ｎ        ＤＧＲ試験用補助ボードの消去信号入力端子
【図１】
2006317377.tif 000002
【図２】
2006317377.tif 000003
【図３】
2006317377.tif 000004
【図４】
2006317377.tif 000005
【図５】
2006317377.tif 000006